(57)【要約】【課題】  遊技領域を立体感豊かな図柄で装飾でき、しかも必要以上のコストが掛からないように構成した遊技機を提供する。【解決手段】  パチンコ機１は、ガラス枠５に装着された透明ガラス６に、第１の図柄としての潜水艦１９、泡２０、海草２１、サンゴ礁２５及びタコ壺２６の図柄を有し、遊技盤７の遊技領域７ａに、第２の図柄としてのタコ２７、魚２８、イルカ２９、サメ３０、エビ３１、ヒラメ３２及びヤドカリ３３の図柄を有している。このため、パチンコ機１に対座して行う遊技時、遊技者は、第１の図柄と第２の図柄とが重畳された状態で、一体的かつ立体的な一連の図柄として視認することができる。【選択図】      図２
2006280779.tif 000002
【特許請求の範囲】
【請求項１】
筐体と該筐体に開閉可能に支持された前扉とを有し、かつ該前扉に、遊技盤を支持する遊技盤支持枠と該遊技盤支持枠に対して開閉自在に支持されたガラス枠とを備えてなる遊技機において、
前記ガラス枠に装着された透明プレートに第１の図柄を有すると共に、前記遊技盤の遊技領域に第２の図柄を有し、かつ
前記ガラス枠が前記遊技盤支持枠に対して閉止されたときに、前記第１及び第２の図柄が重畳されて一連の図柄を形成するように構成された、
ことを特徴とする遊技機。
【請求項２】
前記第１の図柄は、前記透明プレートの裏面に形成された非透過性の図柄を含んでなる、
ことを特徴とする請求項１に記載の遊技機。
【請求項３】
前記第１の図柄は、前記透明プレートの裏面に形成された透過性の図柄を含んでなる、
ことを特徴とする請求項１又は２に記載の遊技機。
【発明の詳細な説明】
【技術分野】
【０００１】
本発明は、パチンコ機等の遊技機に関し、詳しくは図柄表示の手法を改善した遊技機に関する。
【背景技術】
【０００２】
一般に、遊技機、例えばパチンコ機として、球受け皿に滞留している遊技球が、発射ハンドルの操作に応じて遊技領域に打ち出された後、障害釘や風車等に導かれつつ該遊技領域を流下して、各種入賞口に入球し、或いは入球せずに遊技領域下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカー（始動入賞口）に入賞した際にはこれに基づいて大当たり抽選が行われると共に所定数の遊技球が払い出され、当該抽選の結果に応じて、遊技領域の中央部分に設けられた液晶等からなる図柄表示装置の画面上で所定の演出表示が行われる。大当たりの発生時には、アタッカーと呼ばれる大入賞口が開放し、入球に対応して多量の遊技球が払い出される状態となる。
【０００４】
【特許文献１】特開２００３−２３６２１０号公報
【発明の開示】
【発明が解決しようとする課題】
【０００５】
ところで、上記特許文献１に記載されるようなパチンコ機において、遊技盤の遊技領域には通常、遊技領域を装飾するための図柄がプリントされたフィルム（一般に「セル画」とも言う）が、貼付されている。このようなパチンコ機に対座する遊技者は、遊技領域の図柄と共に、それら図柄上に配置されたセンター飾り、障害釘、風車、始動チャッカー、アタッカー等を視認しつつ遊技することとなる。
【０００６】
しかし、このようなパチンコ機では、遊技領域を装飾するための図柄の全てを１枚のフィルムに集約していたため、パチンコ機の手前側から視認する遊技者にとって遊技領域の図柄は立体感に欠けており、必ずしも満足できる図柄とは言い難い場合もあった。
【０００７】
そこで本発明は、遊技領域を立体感豊かな図柄で装飾でき、しかも必要以上のコストが掛からないように構成し、もって上述した課題を解決した遊技機を提供することを目的とするものである。
【課題を解決するための手段】
【０００８】
本発明者は、遊技領域を装飾するための図柄を分割して構成し、遊技機前側から、各図柄を重ね合わせた状態で視認できるようにすれば、遊技領域を立体感豊かに装飾できると共に、必要以上のコストも掛からないようにできることを着想した。そして、遊技領域に必要な表示内容等に関して鋭意探求し、本発明を発明するに到った。
【０００９】
上記目的を達成するため、請求項１に係る本発明は（例えば図１及び図２参照）、筐体（２）と該筐体（２）に開閉可能に支持された前扉（３）とを有し、かつ該前扉（３）に、遊技盤（７）を支持する遊技盤支持枠（１７）と該遊技盤支持枠（１７）に対して開閉自在に支持されたガラス枠（５）とを備えてなる遊技機（１）において、
前記ガラス枠（５）に装着された透明プレート（６）に第１の図柄（１９，２０，２１，２５，２６）を有すると共に、前記遊技盤（７）の遊技領域（７ａ）に第２の図柄（２７，２８，２９，３０，３１，３２，３３）を有し、かつ
前記ガラス枠（５）が前記遊技盤支持枠（１７）に対して閉止されたときに、前記第１及び第２の図柄（１９〜２１，２５，２６、２７〜３３）が重畳されて一連の図柄を形成するように構成されたことを特徴としている。
【００１０】
また請求項２に係る本発明は（例えば図１及び図２参照）、請求項１に記載の遊技機において、前記第１の図柄（１９，２０，２１，２５，２６）が、前記透明プレート（６）の裏面に形成された非透過性の図柄を含んでなることを特徴としている。
【００１１】
請求項３に係る本発明は（例えば図１及び図２参照）、請求項１又は２に記載の遊技機において、前記第１の図柄（１９，２０，２１，２５，２６）が、前記透明プレート（６）の裏面に形成された透過性の図柄を含んでなることを特徴としている。
【００１２】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１３】
請求項１に係る本発明によると、ガラス枠に装着された透明プレートに第１の図柄を有し、遊技盤の遊技領域に第２の図柄を有するので、ガラス枠を遊技盤支持枠に対して閉止し、更にその状態の前扉を筐体に対して閉止した状態で行う遊技時、遊技機に対面して着座した遊技者は、第１の図柄と第２の図柄とが重畳された状態で、一体的かつ立体的な一連の図柄として視認することができる。これにより、遊技領域を立体感豊かに装飾することができると共に、第１の図柄や第２の図柄がプリントされたフィルムを透明プレートの裏面や遊技盤の遊技領域に貼付するだけで、必要以上のコストを掛けずに当該立体感豊かな一連の図柄を現出できるようになる。
【００１４】
請求項２に係る本発明によると、第１の図柄が、透明プレートの裏面に形成された非透過性の図柄を含むので、図柄の種別に応じた装飾をより適切に現出できるようになる。
【００１５】
請求項３に係る本発明によると、第１の図柄が、透明プレートの裏面に形成された透過性の図柄を含むので、図柄の種別に応じた装飾をより適切に現出できるようになる。
【発明を実施するための最良の形態】
【００１６】
以下、本発明に係る遊技機の実施の形態として、遊技場等に設置されるパチンコ機を図１及び図２に沿って説明する。本実施の形態では、本発明に係る遊技機を所謂第１種特別電動役物のパチンコ機として述べるが、本発明はこれに限らず、所謂第２種特別電動役物や所謂第３種特別電動役物のパチンコ機にも適用可能であることは勿論である。
【００１７】
なお、図１は本発明の実施の形態におけるパチンコ機の外部構造を示す正面図、図２は本パチンコ機のガラス枠を遊技盤支持枠から開放させた状態で示す斜視図である。
【００１８】
本パチンコ機１は、発射ハンドル９の操作による発射装置（図示せず）の作動で遊技球（所謂パチンコ玉）を遊技領域７ａに打ち出しつつ遊技を行うもので、所謂確率変動等の大当たりが発生した状態でアタッカー１５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１９】
図１に示すように、本実施の形態におけるパチンコ機１は、開口を有する枠体状の筐体２と、この筐体２に開閉可能に支持された前扉３とを有しており、この前扉３は、遊技盤７を支持する遊技盤支持枠１７（図２参照）と、該遊技盤支持枠１７に対して開閉自在に支持されたガラス枠５とを備えている。このガラス枠５には、透明ガラス（透明プレート）６が装着されている。
【００２０】
ガラス枠５を遊技盤支持枠１７に対して閉止した状態で、透明ガラス６の奥側には、遊技領域７ａを有する遊技盤７が配置される。前扉３における遊技領域７ａの左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。
【００２１】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリペイドカード返却ボタン１４ｂが設けられている。皿ユニット１３の中央部には、該皿ユニット１３上の遊技球を発射装置付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。
【００２２】
また、前扉３における皿ユニット１３の右側下方には、上記球発射装置を操作して遊技球を遊技領域７ａに向けて打ち出すための発射ハンドル９が設けられている。更に、皿ユニット１３の下部左方には、灰皿２４が配置されている。
【００２３】
そして、図１及び図２に示すように、上記遊技領域７ａの中央部分には、遊技球ステージＳを有するセンター飾り１０が配置されており、該センター飾り１０の中央部には液晶表示装置１１が配置されている。遊技球ステージＳの中央部下方には、始動チャッカー１２及びアタッカー１５が順次配置されており、始動チャッカー１２と遊技球ステージＳとの間には、始動チャッカー１２への入賞状態を加減する一対の障害釘（いわゆる命釘）１６が植設されている。
【００２４】
そして、遊技領域７ａには、遊技領域７ａに発射され、センター飾り１０を経由せずに落下してくる遊技球を適宜散らし、或いは始動チャッカー１２やアタッカー１５に導くように配置された多数の障害釘（図示せず）が打ち込まれている。また、センター飾り１０の周囲及びその上方側にも、遊技球を適宜散らし、或いは入球に導くようにするための多数の障害釘（図示せず）が打ち込まれている。
【００２５】
更に、図２に示すように、ガラス枠５に装着された透明ガラス６の裏面には、第１の図柄としての潜水艦１９、泡２０、海草２１、サンゴ礁２５及びタコ壺２６がプリントされたフィルムが貼付されている。また、遊技盤７の遊技領域７ａには、第２の図柄としてのタコ２７、魚２８、イルカ２９、サメ３０、エビ３１、ヒラメ３２及びヤドカリ３３がプリントされたフィルムが貼付されている。従って、ガラス枠５を遊技盤支持枠１７に対し閉止した図１の状態において、第１の図柄と第２の図柄とが重畳されて、一体的かつ立体的な一連の図柄を形成することとなる。
【００２６】
なお、第１の図柄及び第２の図柄は、非透過性の図柄として、また透過性の図柄として形成することができ、或いは、それら非透過性の図柄と透過性の図柄とを混在させた状態に形成することもできる。また、遊技盤７は、非透過性の部材、例えばベニア板として、また、透過性の部材、例えばアクリル板として形成することができる。
【００２７】
このように、第１の図柄を、透明ガラス６の裏面に形成された非透過性の図柄を含むようにし、また、透明ガラス６の裏面に形成された透過性の図柄を含むようにし、或いは、それら非透過性の図柄と透過性の図柄とを混在させることで、図柄の種別に応じた装飾をより適切に現出できるようになる。
【００２８】
以上説明した本実施の形態では、パチンコ機１に対面して着座した遊技者が発射ハンドル９を握り、適宜の角度に回動操作すると、発射装置（図示せず）の作動によって遊技球が所定の時間間隔で遊技領域７ａに向けて連続的に発射される。すると、遊技領域７ａに放出された多数の遊技球は、センター飾り１０に関与し或いは関与せず直接的に始動チャッカー１２等に入賞し、または、何ら入賞することなく転動落下して遊技領域７ａ最下部のアウト口（図示せず）から遊技盤７背面側に排出されることとなる。
【００２９】
そして、本パチンコ機１は、ガラス枠５に装着された透明ガラス６に、第１の図柄として潜水艦１９、泡２０、海草２１、サンゴ礁２５及びタコ壺２６の図柄を有すると共に、遊技盤７の少なくとも遊技領域７ａに第２の図柄としてタコ２７、魚２８、イルカ２９、サメ３０、エビ３１、ヒラメ３２及びヤドカリ３３の図柄を有している。このため、ガラス枠５を遊技盤支持枠１７に対して閉止し、更にその状態の前扉３を筐体２に対して閉止した図１の状態で行う遊技時、パチンコ機１に対面して着座した遊技者は、第１の図柄と第２の図柄とが重畳された状態で、一体的かつ立体的な一連の図柄として視認することができる。
【００３０】
これにより、遊技領域７ａを立体感豊かに装飾することができると共に、第１の図柄や第２の図柄がプリントされたフィルムを透明プレートの裏面や遊技盤７の遊技領域７ａに貼付するだけで、必要以上のコストを掛けずに当該立体感豊かな一連の図柄を現出することができる。
【００３１】
以上、本発明をその好適な実施の形態に基づいて説明したが、本発明の遊技機は、上記実施の形態の構成にのみ限定されるものではなく、上記実施の形態の構成から種々の修正及び変更を施した遊技機も、本発明の範囲に含まれる。
【図面の簡単な説明】
【００３２】
【図１】本発明の実施の形態におけるパチンコ機の外部構造を示す正面図である。
【図２】本パチンコ機のガラス枠を遊技盤支持枠から開放させた状態で示す斜視図である。
【符号の説明】
【００３３】
１：遊技機（パチンコ機）
２：筐体
３：前扉
５：ガラス枠
６：透明プレート（透明ガラス）
７：遊技盤
７ａ：遊技領域
１７：遊技盤支持枠
１９，２０，２１，２５，２６：第１の図柄（潜水艦、泡、海草、サンゴ礁、タコ壺）
２７，２８，２９，３０：第２の図柄（タコ、魚、イルカ、サメ）
３１，３２，３３：第２の図柄（エビ、ヒラメ、ヤドカリ）
【図１】
2006280779.tif 000003
【図２】
2006280779.tif 000004